(57)【要約】      （修正有）【課題】フレキシブル基板が擦れて雑音が発生することを抑制することが可能な電子装置及びその製造方法を提供する。【解決手段】本体部と、本体部の前面を覆い、本体部に対して変位することにより本体部の前面を露出する表示部２０と、本体部の前面と表示部２０の背面２２との間に接続され、表示部２０に信号を伝送するフレキシブル基板３０と、表示部２０の背面２２に設けられ、本体部の前面と表示部２０の背面２２との間におけるフレキシブル基板３０の長さを調節するホルダ２８と、を具備することを特徴とする電子装置及びその製造方法。【選択図】図１５
2010103356.tif 000002
【特許請求の範囲】
【請求項１】
本体部と、
前記本体部の前面を覆い、前記本体部に対し変位することにより前記本体部の前面を露出する電子機器と、
前記本体部の前面と前記電子機器の背面との間に接続され、前記電子機器に信号を伝送するフレキシブル基板と、
前記電子機器の背面に設けられ、前記本体部の前面と前記電子機器の背面との間における前記フレキシブル基板の長さを調節するホルダと、を具備することを特徴とする電子装置。
【請求項２】
前記フレキシブル基板は、前記ホルダを介して前記電子機器の背面に設けられた開口部に挿入され、
前記ホルダは、前記電子機器の背面上でスライドさせ前記フレキシブル基板を前記ホルダと前記開口部とで曲げることにより、前記フレキシブル基板の長さを調節するホルダであることを特徴とする請求項１記載の電子装置。
【請求項３】
前記ホルダは前記電子機器の背面に固定されていることを特徴とする請求項１または２記載の電子装置。
【請求項４】
前記電子機器が前記本体部の前面を覆った状態で前記電子機器の少なくとも一部を収めるように前記本体部の前面を囲み設けられ、上部より下部の前記本体部の前面からの突き出し量が大きいフレームを具備することを特徴とする請求項１から３いずれか一項記載の電子装置。
【請求項５】
前記電子装置は車載用電子装置であることを特徴とする請求項１から４いずれか一項記載の電子装置。
【請求項６】
本体部と、前記本体部の前面を覆い、前記本体部に対し変位することにより前記本体部の前面を露出する電子機器と、前記本体部の前面と前記電子機器の背面との間に接続され、前記電子機器に信号を伝送するフレキシブル基板と、を具備する電子装置の製造方法であって、
前記電子機器の背面に設けられたホルダを用いて、前記本体部の前面と前記電子機器の背面との間における前記フレキシブル基板の長さを調節するステップを含むことを特徴とする電子装置の製造方法。
【請求項７】
前記フレキシブル基板は前記ホルダを介して前記電子機器の背面に設けられた開口部に挿入され、
前記フレキシブル基板の長さを調節するステップは、前記ホルダを前記電子機器の背面上でスライドさせ前記ホルダと前記開口部とで前記フレキシブル基板を曲げることにより前記フレキシブル基板の長さを調節した後、前記ホルダを前記電子機器の背面に固定するステップであることを特徴とする請求項６記載の電子装置の製造方法。
【請求項８】
前記フレキシブル基板の長さを調整するステップは、前記フレキシブル基板が前記本体部の前面と前記電子機器の背面とに接続された後に行われることを特徴とする請求項６または７記載の電子装置の製造方法。
【請求項９】
前記電子機器が前記本体部の前面を覆った状態で前記電子機器の少なくとも一部を収めるように前記本体部の前面を囲み設けられ、上部より下部の前記本体部の前面からの突き出し量が大きいフレームを具備し、
前記電子機器が前記フレームの下に配置された状態で、前記電子機器の前面に接続された前記フレキシブル基板は前記本体部の前面に接続されることを特徴とする請求項６から８いずれか一項記載の電子装置の製造方法。
【請求項１０】
前記電子装置は車載用電子装置であることを特徴とする請求項６から９いずれか一項記載の電子装置の製造方法。
【発明の詳細な説明】
【技術分野】
【０００１】
本発明は電子装置及びその製造方法に関し、特に本体部と電子機器とを備えた電子装置及びその製造方法に関する。
【背景技術】
【０００２】
例えば、車両に搭載される車両用ナビゲーション装置は運転席と助手席の間のダッシュボード部分に配置されることが多く、正面から見た大きさを定められた大きさとすることが求められている。そこで、表示部（電子機器）と本体部とを設け、表示部を視認する状態においては表示部の背面と本体部の前面とを対向させた状態で配置し、本体部の前面に設けられた記憶媒体等の挿排口等に記憶媒体等の挿排を行う際には、表示部を斜動させる構造が知られている。さらに、本体部の前面を囲うようにフレームを形成し、フレーム内に表示部を収める構造がある。本体部と表示部とはフレキシブル基板により接続される。
【０００３】
特許文献１には、プリント基板と記録メディアホルダとの間に設けられたフレキシブルケーブル処理用の巻回体により、フレキシブルケーブルの余長処理を行う技術が開示されている。特許文献２には、フラットケーブルの外側に沿うように中間部をＵ字型に折り返したケーブル支持部材により、フラットケーブルの変形を防止する技術が開示されている。
【特許文献１】特開２００４−３４７７６５号公報
【特許文献２】特開２０００−９２６８０号公報
【発明の開示】
【発明が解決しようとする課題】
【０００４】
以上のような電子装置においては、フレキシブル基板の長さは長い方が容易に製造することができる。特に、電子装置が車載用電子装置である場合、電子装置が搭載されるダッシュボードの形状に合わせ、フレームの下部が上部より突き出していることがある。この場合、製造工程において、表示部に接続されたフレキシブル基板を下部の下方から本体部の前面に接続しようとすると、下部の突き出しが大きいため、フレキシブル基板を長くすることが求められる。一方、フレキシブル基板が長いと、表示部が斜動する際に、フレキシブル基板が邪魔になる。例えば、フレキシブル基板と本体部や表示部とが擦れた際に雑音が生じる。
【０００５】
本電子装置は、上記課題に鑑みなされたものであり、フレキシブル基板が擦れて雑音が発生することを抑制することが可能な電子装置及びその製造方法を提供することを目的とする。
【課題を解決するための手段】
【０００６】
本電子装置は、本体部と、前記本体部の前面を覆い、前記本体部に対して変位することにより前記本体部の前面を露出する電子機器と、前記本体部の前面と前記電子機器の背面との間に接続され、前記電子機器に信号を伝送するフレキシブル基板と、前記電子機器の背面に設けられ、前記本体部の前面と前記電子機器の背面との間における前記フレキシブル基板の長さを調節するホルダと、を具備することを特徴とする。本構成によれば、フレキシブル基板が擦れて雑音が発生することを抑制することが可能となる。
【０００７】
上記構成において、前記フレキシブル基板は、前記ホルダを介して前記電子機器の背面に設けられた開口部に挿入され、前記ホルダは、前記電子機器の背面上でスライドさせ前記フレキシブル基板を前記ホルダと前記開口部とで曲げることにより、前記フレキシブル基板の長さを調節するホルダである構成とすることができる。この構成によれば、フレキシブル基板が擦れて雑音が発生することを抑制することが可能となる。
【０００８】
上記構成において、前記ホルダは前記電子機器の背面に固定されている構成とすることができる。この構成によれば、フレキシブル基板の長さが調整された状態を保持することができる。
【０００９】
上記構成において、前記電子機器が前記本体部の前面を覆った状態で前記電子機器の少なくとも一部を収めるように前記本体部の前面を囲み設けられ、上部より下部の前記本体部の前面からの突き出し量が大きいフレームを具備する構成とすることができる。この構成によれば、フレキシブル基板が長い状態でフレキシブル基板の接続を行うため、電子装置を容易に製造することができる。
【００１０】
上記構成において、前記電子装置は車載用電子装置である構成とすることができる。
【００１１】
本電子装置の製造方法は、本体部と、前記本体部の前面を覆い、前記本体部に対して変位することにより前記本体部の前面を露出する電子機器と、前記本体部の前面と前記電子機器の背面との間に接続され、前記電子機器に信号を伝送するフレキシブル基板と、を具備する電子装置の製造方法であって、前記電子機器の背面に設けられたホルダを用いて、前記本体部の前面と前記電子機器の背面との間における前記フレキシブル基板の長さを調節するステップを含むことを特徴とする。本構成によれば、フレキシブル基板が擦れて雑音が発生することを抑制することが可能となる。
【００１２】
上記構成において、前記フレキシブル基板は前記ホルダを介して前記電子機器の背面に設けられた開口部に挿入され、前記フレキシブル基板の長さを調節するステップは、前記ホルダを前記電子機器の背面上でスライドさせ前記ホルダと前記開口部とで前記フレキシブル基板を曲げることにより前記フレキシブル基板の長さを調節した後、前記ホルダを前記電子機器の背面に固定するステップである構成とすることができる。この構成によれば、フレキシブル基板の長さが調整された状態を保持することができる。
【００１３】
上記構成において、前記フレキシブル基板の長さを調整するステップは、前記フレキシブル基板が前記本体部の前面と前記電子機器の背面とに接続された後に行われる構成とすることができる。この構成によれば、フレキシブル基板が長い状態で本体部の前面及び電子機器の背面に接続されるため、電子装置を容易に製造することができる。
【００１４】
上記構成において、前記電子機器が前記本体部の前面を覆った状態で前記電子機器の少なくとも一部を収めるように前記本体部の前面を囲み設けられ、上部より下部の前記本体部の前面からの突き出し量が大きいフレームを具備し、前記電子機器が前記フレームの下に配置された状態で、前記電子機器の前面に接続された前記フレキシブル基板は前記本体部の前面に接続される構成とすることができる。この構成によれば、フレキシブル基板を本体部に接続するための空間を確保することが容易となる。また、フレキシブル基板が長い状態でフレキシブル基板の接続を行うため、電子装置をより容易に製造することができる。
【００１５】
上記構成において、前記電子装置は車載用電子装置である構成とすることができる。
【発明の効果】
【００１６】
本発明によれば、フレキシブル基板が擦れて雑音が発生することを抑制することが可能となる。
【発明を実施するための最良の形態】
【００１７】
図面を用いて、本発明の実施例について説明する。
【実施例】
【００１８】
図１は、実施例に係る電子装置（カーナビゲーション装置）のブロック図である。図１に示すように、電子装置１００は、本体部１０と表示部２０（電子機器）とを有している。本体部１０には、カーナビゲーションの制御部、ＣＤ（Compact Disc）、ＤＶＤ（Digital Versatile Disc）等の記憶媒体の再生部、オーディオ等が収められている。フレーム４０（インターパネル）は、表示部２０が本体部１０の前面１２を覆った状態で表示部２０を収めるように本体部１０の前面を囲み設けられている。フレーム４０は上部４２、下部４４及び側部４６を有している。表示部２０はＬＣＤ（Liquid Crystal Display）等の表示画面２４と、表示画面２４等を操作する操作部２６を有している。また、表示画面２４はタッチパネルを備えていてもよい。ユーザは、表示部２０がフレーム４０内に収められた状態で表示画面２４を視認することができる。フレーム４０の下部４４には切り欠き部４８が設けられ、切り欠き部４８には、カバー部６０が嵌め込まれている。カバー部６０により切り欠き部４８が目立たず、良好な意匠を生じさせている。
【００１９】
図２は表示部２０を離脱させた本体部１０を示す斜視図である。図２に示すように、本体部１０の前面１２には、フレキシブル基板３０を接続するための開口部１５が設けられている。開口部１５内には、フレキシブル基板３０を接続するためコネクターが設けられている。また、本体部１０の前面１２の上の領域には、ＣＤの挿排口１６、ＤＶＤの挿排口１８が設けられている。本体部１０の前面１２の上の領域には、表示部２０を斜動させるためのスライダー５０が設けられている。フレーム４０の下部４４には、本体部１０の前面１２のフレキシブル基板３０が接続する位置の下方に切り欠き部４８を有する。図２は切り欠き部４８からカバー部６０を離脱した状態を示している。フレーム４０の左右の側部４６の内面には表示部２０を斜動させるためのＳ字様の案内溝４５が設けられている。
【００２０】
図３（ａ）は表示部２０、図３（ｂ）は表示部２０の背面２２を示す図である。図３（ａ）に示すように、表示部２０の側面の上背面側には突起５５が設けられている。突起５５は、案内溝４５に嵌め込まれ、表示部２０が斜動する際に、案内溝４５内をスライドする。図３（ｂ）に示すように、図中に網掛けで表したフレキシブル基板３０は、ホルダ２８を介して表示部２０の背面２２に設けられた開口部２７（図４（ａ）参照）に挿入されている。すなわち、表示部２０の背面２２には、フレキシブル基板３０が機械的に接続されている。また、ホルダ２８はネジ２５により表示部２０の背面２２に固定されている。フレキシブル基板３０は、表示画面２４に画像を表示させるための画像信号を、本体部１０から表示部２０に伝送する。また、表示部２０の操作部２６が操作されると、操作情報を本体部１０に伝送する。フレキシブル基板３０の先端には、本体部１０の前面１２のコネクター１４に係合するコネクター３２が設けられている。背面２２の下の領域の左右にはスライダー５０を接続するための接続部５２が設けられている。図２の切り欠き部４８の幅Ｗ１は、図３（ｂ）のフレキシブル基板３０の幅Ｗ２より大きく設定されている。
【００２１】
図４（ａ）はフレキシブル基板３０及びホルダ２８がない状態における表示部２０の背面を示す図であり、図４（ｂ）はフレキシブル基板３０がない状態におけるホルダ２８を示す図である。図４（ａ）に示すように、表示部２０の背面にはフレキシブル基板３０が挿入されるための開口部２１、及びホルダ２８の突起２９（図４（ｂ）参照）が挿入されるための開口部２３が設けられている。図４（ｂ）に示すように、ホルダ２８にはフレキシブル基板３０が挿入されるための開口部２７、突起２９、及びネジ止め用の穴３１が設けられている。突起２９が開口部２３に挿入されることにより、ホルダ２８は表示部２０の背面２２に設けられる。また、突起２９の図の縦方向の長さは、開口部２３の図の縦方向の長さより短い。フレキシブル基板３０は、開口部２７及び開口部２１に挿入され、表示部２０に接続される。
【００２２】
図５（ａ）及び図５（ｂ）は、表示部２０の動きを説明するための電子装置１００の断面図である。表示部２０を破線で示している。図５（ａ）に示すように、フレーム４０の下部４４の本体部１０の前面１２からの突き出し量Ｌ２は、上部４２の本体部１０の前面１２からの突き出し量Ｌ１より大きい。表示部２０の突起５５はフレーム４０の案内溝４５に嵌め込まれている。スライダー５０の先端は、表示部２０の背面２２の接続部５２に接続されている。表示部２０が本体部１０の前面１２を覆った状態では、突起５５は案内溝４５の上端に位置している。
【００２３】
図５（ｂ）に示すように、表示部２０が変位し本体部１０の前面１２を露出させる際は、スライダー５０が伸び、表示部２０の下部が本体部１０から離れるように、表示部２０が斜動する。このとき、突起５５は案内溝４５内をスライドする。表示部２０が最も斜動し、本体部１０の前面１２が最も露出した場合、突起５５は案内溝４５の下端に位置している。この状態で、本体部１０の前面１２のＣＤ挿排口やＤＶＤ挿排口を操作することができる。フレキシブル基板３０は、表示部２０が変位した際に変形する。
【００２４】
次に、本体部１０へのフレーム４０及び表示部２０の取り付ける方法について説明する。図６から図１４は、電子装置１００の模式図である。なお、図６から図１４においてはホルダ２８は省略して図示している。図６のように、前面１２となるパネルをネジ穴６１を介しネジ６２で本体部１０の筐体１１にネジ止めする。これにより、本体部１０が形成される。図７のように、本体部１０の嵌合穴６４に嵌合部６６を嵌合させることにより、本体部１０にフレーム４０を組み付ける。図８のように、案内溝４５にグリス７２を塗布する。グリス７２により、案内溝４５内の突起５５の移動が容易になる。
【００２５】
図９（ａ）のように、フレーム４０の下方に表示部２０を配置する。図９（ｂ）及び図１０に示すように、フレキシブル基板３０を切り欠き部４８を介し本体部１０に接続する。フレキシブル基板３０の先端を開口部１５を介しコネクター１４に嵌め込む。図１１及び図１２（ａ）に示すように、表示部２０を本体部１０の前方に配置する。表示部２０の上部を本体部１０側に、表示部２０の下部が本体部１０から離れるように表示部２０を配置する。表示部２０の突起５５を案内溝４５に嵌め込む。案内溝４５がフレーム４０の前面まで延伸しているため、突起５５を容易に案内溝４５に嵌め込むことができる。
【００２６】
図１２（ｂ）及び図１３のように、スライダー５０を延伸させ、表示部２０の背面２２の接続部５２にスライダー５０を接続する。例えば、ネジ７０を用いスライダー５０を接続部５２に接続する。スライダー５０と接続部５２とは回転自在なように接続される。その後、ホルダ２８を用いて本体部１０の前面１２と表示部２０の背面２２との間におけるフレキシブル基板３０の長さを調節し、ホルダ２８を表示部２０の背面２２に固定する。図１４のように、表示部２０を自立させる。カバー部６０を切り欠き部４８に嵌め込む。フレーム４０を本体部１０にネジ止めする。以上により、表示部２０の取り付けが終了する。
【００２７】
次に、フレキシブル基板３０の長さを調節するステップについて詳述する。図１５（ａ）はホルダ２８と表示部２０の背面２２を示す平面図であり、図１５（ｂ）はフレキシブル基板３０の長さ調整前における表示部２０の背面２２及びホルダ２８の断面図、図１５（ｃ）は長さ調整時における断面図である。なお、図１５（ａ）においてはフレキシブル基板３０を省略して図示している。
【００２８】
図１５（ａ）に示すように、表示部２０の背面２２上でホルダ２８を矢印の方向にスライドさせる。ホルダ２８の可動範囲はホルダ２８の突起２９が表示部２０の背面２２に設けられた開口部２３内で可動できる範囲である。
【００２９】
図１５（ｂ）に示すように、フレキシブル基板３０はホルダ２８の開口部２７を介して表示部２０の背面２２に設けられた開口部２１に挿入されている。
【００３０】
図１５（ｃ）に示すように、ホルダ２８をスライドさせると、フレキシブル基板３０はホルダ２８と開口部２１とで曲げられる。これにより、フレキシブル基板３０の長さが調整される。具体的には、ホルダ２８を図１５（ａ）の矢印の方向にスライドさせることで、フレキシブル基板３０の長さは短くなる。図１５（ｃ）の状態で、ネジによりホルダ２８を表示部２０の背面２２に固定する（図５（ａ）参照）。
【００３１】
次に、フレキシブル基板３０の長さを調整した実施例、及び調整していない比較例とについて具体例を用いて説明する。図１６（ａ）は比較例に係る電子装置の側面図であり、図１６（ｂ）は実施例に係る電子装置の側面図である。なお、比較例、実施例ともにフレキシブル基板の全長は９８ｍｍである。また、フレーム４０及びホルダ２８は透視して図示している。
【００３２】
図１６（ａ）に示すように、表示部２０はスライダー５０に接続され、本体部１０の前面１２に対して傾いている。フレキシブル基板３０は本体部１０の前面１２と表示部２０の背面２２との間に接続されている。比較例においては、フレキシブル基板３０の最下点と本体部１０の前面１２との間におけるフレキシブル基板３０の長さＬ３は２０．３ｍｍであり、フレキシブル基板３０の最下点と表示部２０の背面２２との間におけるフレキシブル基板３０の長さＬ４は５８．４ｍｍである。また、最下点とスライダー５０との間の高さＨは５．５ｍｍであり、最下点はスライダー５０より５．５ｍｍ下に位置する。このため、図中に点線で示すように、表示部２０斜動時にはフレキシブル基板３０とスライダー５０とが接触し、雑音が発生する。
【００３３】
図１６（ｂ）に示すように、ホルダ２８を用いてフレキシブル基板３０の長さを調整している（図１５（ａ）及び図１５（ｃ）参照）。そのため、Ｌ３は１１．５ｍｍ、Ｌ４は５７．２ｍｍとなる。すなわち、本体部１０の前面１２と表示部２０の背面２２との間におけるフレキシブル基板３０の長さは、比較例よりも短くなっている。フレキシブル基板３０の最下点とスライダー５０との間の高さＨは２．４ｍｍであり、最下点はスライダー５９より上に位置する。このため、表示部２０斜動時であっても、フレキシブル基板３０とスライダー５０とが接触することがない。すなわち、実施例によればフレキシブル基板３０が擦れて雑音が発生することを抑制することが可能となる。
【００３４】
フレキシブル基板３０の長さを調整するステップは、フレキシブル基板３０が本体部１０の前面１２と表示部２０の背面２２とに接続された後に行われる。すなわち、フレーム４０の下部４４が上部４２より突き出している電子装置において、フレキシブル基板３０を長くすることで、電子装置を容易に製造することができる。さらにその後、フレキシブル基板３０の長さを調節するため、フレキシブル基板３０が擦れることを抑制することができる。また、図１５（ｃ）で説明したように、フレキシブル基板３０の長さを調整した後にホルダ２８を表示部２０の背面２２に固定するため、フレキシブル基板３０の長さが調整された状態は保持される。
【００３５】
図９（ｂ）において、表示部２０をフレーム４０の下方に配置するのは、本体部１０の前面１２の前上方にフレキシブル基板３０をコネクター１４に接続するため、組み立て者の手や冶具のための空間を確保するためである。特に、図５（ｂ）のように、表示部２０の下部が本体部１０から離れるように斜動する電子装置においては、本体部１０の前面１２内の上領域にディスク媒体の挿排口等の操作部が配置される。よって、コネクター１４は、前面１２の下領域に配置されることになり、組み立て者の手や冶具のための空間を確保するため、表示部２０をフレーム４０の下方に配置し、フレキシブル基板３０を本体部１０に接続することが好ましい。
【００３６】
図４（ｂ）に示すようにホルダ２８にはネジ止め用の穴が二つあるとしたが、二つに限定されるものではなく、より多く設けることでホルダ２８を強固に固定することも可能である。フレーム４０には切り欠き部４８が設けられてなくてもよい。しかし、切り欠き部４８によりフレキシブル基板３０が長い場合でも接続する工程が簡単になることから、切り欠き部４８は設けられていることが好ましい。また、図１４に示すように、電子機器２０の全体がフレーム４０に収められているが、電子機器２０の少なくとも一部がフレーム４０に収められていてもよい。電子機器２０の動作は斜動に限られず、本体部１０に対して変位すればよい。
【００３７】
実施例では、電子装置の例として車載用電子装置について説明したが、例えば家庭用電子装置など他の電子装置でもよい。また、表示部を例として説明したが、表示部以外の電子機器でもよい。さらに、フレキシブル基板が伝送する信号も画像を表示させるための信号に限定されず、フレキシブル基板はそれ以外の信号を伝送してもよい。
【００３８】
以上、本発明の実施例について詳述したが、本発明はかかる特定の実施例に限定されるものではなく、特許請求の範囲に記載された本発明の要旨の範囲内において、種々の変形・変更が可能である。
【図面の簡単な説明】
【００３９】
【図１】図１は、実施例に係る電子装置の斜視図である。
【図２】図２は、実施例の本体部の斜視図である。
【図３】図３（ａ）及び図３（ｂ）は、表示部の図である。
【図４】図４（ａ）は表示部の背面を示す図であり、図４（ｂ）はホルダを示す図である。
【図５】図５（ａ）及び図５（ｂ）は、電子装置の断面模式図である。
【図６】図６は、電子装置の製造工程を示す斜視図（その１）である。
【図７】図７は、電子装置の製造工程を示す斜視図（その２）である。
【図８】図８は、電子装置の製造工程を示す斜視図（その３）である。
【図９】図９（ａ）及び図９（ｂ）は、電子装置の製造工程を示す断面模式図（その１）である。
【図１０】図１０は、電子装置の製造工程を示す斜視図（その４）である。
【図１１】図１１は、電子装置の製造工程を示す斜視図（その５）である。
【図１２】図１２（ａ）及び図１２（ｂ）は、電子装置の製造工程を示す断面模式図（その２）である。
【図１３】図１３は、電子装置の製造工程を示す斜視図（その６）である。
【図１４】図１４は、電子装置の製造工程を示す断面模式図（その３）である。
【図１５】図１５（ａ）はホルダと表示部の背面を示す斜視図であり、図１５（ｂ）はフレキシブル基板の長さ調整前における表示部の背面及びホルダの断面図、図１５（ｃ）は長さ調整時における断面図である。
【図１６】図１６（ａ）は比較例に係る電子装置の側面図であり、図１６（ｂ）は実施例に係る電子装置の側面図である。
【符号の説明】
【００４０】
１０                本体部
１２                前面
２０                表示部
２２                背面
２１、２３、２７    開口部
２８                ホルダ
２９、５５          突起
３０                フレキシブル基板
４０                フレーム
４２                上部
４４                下部
４５                案内溝
４６                側部
４８                切り欠き部
５０                スライダー
【図１】
2010103356.tif 000003
【図２】
2010103356.tif 000004
【図３】
2010103356.tif 000005
【図４】
2010103356.tif 000006
【図５】
2010103356.tif 000007
【図６】
2010103356.tif 000008
【図７】
2010103356.tif 000009
【図８】
2010103356.tif 000010
【図９】
2010103356.tif 000011
【図１０】
2010103356.tif 000012
【図１１】
2010103356.tif 000013
【図１２】
2010103356.tif 000014
【図１３】
2010103356.tif 000015
【図１４】
2010103356.tif 000016
【図１５】
2010103356.tif 000017
【図１６】
2010103356.tif 000018